(57)【要約】【課題】薬品包装において、のぞき窓により、薬品の提供の際の目視による点検を可能にし、かつ薬品（及び必要に応じて一緒に包装された部材）の誤取り出しを避け、かつ包装が意図して若しくは意図することなしに開放されたか否かの表示のための安全機構を有するようにする。【解決手段】のぞき窓（Ｓ）を二次包装手段の正面に配置してあり、のぞき窓の高さは、二次包装手段の高さの最大７０％であり、前記のぞき窓の上側及び下側に、前記一次製品の支持のための各１つの支持ストリップを設けてある。【選択図】図２
2011178464.tif 000002
【特許請求の範囲】
【請求項１】
直方体状の二次包装手段であって、のぞき窓（Ｓ）を有している形式のものにおいて、
前記二次包装手段の長さｌは、一次製品の長さの最大１１０％であり、
前記二次包装手段の高さｈは、前記一次製品の高さの最大１１０％であり、
前記二次包装手段の幅ｂは、前記一次製品の幅の最大１２５％であり、
少なくとも１つののぞき窓（Ｓ）が、前記二次包装手段の正面に配置されており、該のぞき窓の高さ（ｈｓ）は、前記二次包装手段の高さの最大７０％であり、前記のぞき窓の上側及び下側に、前記一次製品の支持のための各１つの支持ストリップ（Ｓｏ，Ｓｕ）を設けてあり、
該両方の支持ストリップ（Ｓｏ，Ｓｕ）の幅の合計は、前記一次製品の高さ（ｈ）の最大３０〜４０％であり、
前記両方の支持ストリップ（Ｓｏ，Ｓｕ）はほぼ同一の幅を有しており、かつ前記二次包装手段は、前記二次包装手段の少なくとも１つの側面（ＳＦ）におけるミシン目（Ｐ）、並びに接着された端部舌片（ＥＬ）を有していることを特徴とする、のぞき窓（Ｓ）を有する直方体状の二次包装手段。
【請求項２】
前記二次包装手段は、のぞき窓（ＳZK）を有する付属品スペース（ＺＫ）を有しており、該のぞき窓は、前記のぞき窓（ＳZK）の高さの２０〜６０％の高さを有している請求項１に記載の直方体状の二次包装手段。
【請求項３】
前記二次包装手段は、前記ミシン目（Ｐ）の高さの位置で背面（ＲＦ）に設けられた溝（Ｒ）を有している請求項１に記載の直方体状の二次包装手段。
【請求項４】
前記のぞき窓（Ｓ）に透明の箔を取り付けてある請求項１から３のいずれか１項に記載の直方体状の二次包装手段。
【請求項５】
請求項１から４のいずれか１項に記載の、のぞき窓（Ｓ）を有する直方体状の二次包装手段の使用方法において、薬品用ブリスター若しくは薬品用チューブを包装するために用いることを特徴とする、直方体状の二次包装手段の使用方法。
【発明の詳細な説明】
【技術分野】
【０００１】
本発明は、２０１０年２月２６日及び２０１０年４月１日付けの独国特許出願の優先権に基づく、直方体状の二次包装手段に関するものであり、該二次包装手段は、薬品の提供の際の目視による点検を可能にし、かつ薬品（及び必要に応じて一緒に包装された部材）の誤取り出しを避けるためののぞき窓、並びに包装が意図して若しくは意図することなしに開放されたか否かの表示のための安全機構を有しているものである。
【背景技術】
【０００２】
薬品包装は、一般的に一次容器、例えばチューブ若しくはブリスターから成っている。このような一次容器又は一次包装体は、一般的に二次容器、例えばカートンによって包装される。このような二次容器又は二次包装手段は、複数の目的を有している。目的として、損傷及び／又は汚れに対する一次包装品の保護、積み重ねの可能性、補足的な情報のための印刷可能性、並びに補足的な材料、例えば使用情報の書かれた添付説明書、及び／又は追加的な部材、例えば単数若しくは複数の付属品又は塗布具を添えるための可能性が挙げられる。付属品又は塗布具を添える場合には、薬品包装は、二次包装又は二次容器により特に衛生規定を維持するためにも用いられる。
【０００３】
薬品をエンドユーザーに提供する場合には、提供すべき薬品、特に一次容器を目視により検査又は確認する必要がある。日本国においては、例として上記検査又は確認は、提供しようとする薬剤師の義務である。この場合に、提供すべき薬品が需要品（例えば処方箋）と一致しているか否か、また提供すべき容器に損傷があるか否かが調べられる。このために、従来の薬品包装においては、薬品収納容器（例えば薬品受容チューブ）は外装、例えばカートンから取り出して、検査されねばならない。このことはまずある程度の時間を必要とすることになる。さらに、包装されている薬品を包装から分離してしまうことに起因して、誤って引き渡してしまうことも生じる。例えば、一次製品又は一次容器（例えばチューブ）を取り違えることや、一次容器に付いている付属品（例えばあらゆる種類の塗布具）を入れ忘れ、或いは誤って入れてしまうことが考えられる。日本国においては、一次容器をカートンから取り出して、次いでカートンなしに提供するのが慣例である。このような慣例は、特に目視による検査の実施のため日本国の規定に基づき外装を開いたことの証しに役立つものの、前述の問題を発生してしまうことになる。
【０００４】
前記の欠点に鑑み、該欠点を避けるための新規な包装が望まれている。
【発明の概要】
【発明が解決しようとする課題】
【０００５】
本発明の課題は、公知技術における上記欠点が避けられる直方体状の二次包装手段を提供することである。
【課題を解決するための手段】
【０００６】
本発明の構成によれば、前述の問題を解決するために、後で述べる実施の形態並びに請求項に記載の直方体状の二次包装手段は、のぞき窓を有しており、のぞき窓は、目視による検査を行うためのできるだけ大きな開口部を有しており、しかしながら一次容器が二次包装の損傷なしには取り出されないようにしている。このような構成により、一次容器の取り違えは防止されている。さらに、一次容器からの付属品又は塗布具若しくは一緒に包装されているほかの部材の分離を防止している。
【０００７】
本発明に係る薬品包装は、ほぼ直方体状若しくは直六面体状に形成されている。直方体若しくは直六面体の少なくとも１つの面は１つののぞき窓（Ｓ）を備えている。最も簡単な実施の形態では、窓は直方体面からの長方形の打ち抜き部によって形成されている。このような打ち抜き部の１つ若しくは複数の辺は、有利な実施の形態では、図面に示してあるように、湾曲していてよい。当業者にとって容易に理解されるように、打ち抜き部は、打ち抜き部により形成されるのぞき窓の上側及び下側に、一次容器を保持するための支持ストリップ（Ｓｏ，Ｓｕ）として二次包装のストリップ（条片状部分）を残すように形成されている。
【０００８】
前記包装の大きさは、第１に内容物、例えば薬品チューブの大きさに依存して規定されている。本発明の構成において、薬品包装、つまり二次包装手段の長さ（ｌ）は、一次容器（一次製品又は一次包装体、例えばチューブの長さ）の長さの最大１１０％である。１０ｃｍのチューブ長さの場合に、包装は１１ｃｍよりも長くなっていない。有利には、包装の長さは、チューブ長さの１０５％よりも長くなっておらず、特に有利にはチューブ長さの１０３％よりも長くなっていない。
【０００９】
前記直方体の高さ（ｈ）は、主として一次容器の最大のチューブの１１０％を超えていない。例として、最大のチューブ高さ２０ｍｍの場合に、薬品包装高さ（薬品包装深さ）は２２ｍｍを超えていない。本発明の有利な実施の態様によれば、最大の包装高さは、一次包装の高さの１０５％である。特に有利な実施の態様によれば、一次包装の１０３％を超えていない。
【００１０】
前記直方体の幅（ｂ）は、一次容器、例えばチューブの最大の幅の１２５％を超えていない。例として、最大のチューブ幅２０ｍｍの場合に、薬品包装高さは２５ｍｍを超えていない。本発明の有利な実施の態様によれば、最大の包装幅は、一次包装の幅の１１０％である。特に有利な実施の態様によれば、一次包装の１０７．５％を超えていない。
【００１１】
特に有利な実施の態様によれば、本発明に係る包装は、付属部材、例えばアプリケーター又は塗布具の収容のためのスペース（ＺＫ）を追加的（付加的）に有している。このような例では、薬品包装の全幅は、一次製品（例えばチューブ）のための収容スペース（収容室又は収容容積）の幅から求められ、収容スペースの幅は前に述べてあるように規定され、かつ塗布具のためのスペースの幅（ｂZK）を加えられている。この場合に、塗布具のためののぞき窓（ＳZK）も設けられてよい。
【００１２】
のぞき窓（Ｓ）の寸法は、一次容器の目視による最適な点検を可能にすると共に、一次容器が外装の損傷又は破損なしには外れ落ちも取り出しもされない程度に、最大の開口部を得ることができるように規定されている。このような構成は、二次製品の取り違えを確実に防止するものである。このために、のぞき窓は次のように設定されている。つまり、のぞき窓の最大の高さ（ｈｓ）は二次容器の高さの最大７０％である。有利な実施の態様によれば、のぞき窓の高さは、二次容器の高さ（例えばチューブ高さ）の６０％である。チューブの、のぞき窓の外側にある部分（残部）を本発明に係る包装により最小でも３０％にわたって被ってあり、このような被い（残部被い）は、一般的には、チューブの上方側と下方側とでほぼ同じ割合で行われている。例えば１０．５ｃｍの包装長さの場合には、チューブの両方の端部は約２．０ｃｍにわたってカートンによって被われている（ＳｏとＳｕとはそれぞれ同じく２．０ｃｍである）。のぞき窓は、もちろん異なる形状で形成されていてよく、重要なことは、二次容器の抜け落ち若しくは取り出されを確実に防止するために、一次容器がその長さの約１０％より少ない寸法でしか被われないことを避けることである。
【００１３】
寸法のほかの種々の実施の形態は、包装分野の当業者にとって、発明力を要することなく、慣用のパラメータ、例えば材料厚さを考慮して容易に決定されるものである。
【００１４】
本発明に係る包装の重要な構成は、一次容器が外装若しくは二次包装の損傷又は破損なしには取り出されないようになっていることである。このために、まず端部舌片（フラップ）の接着が用いられる。接着は、包装が端部舌片の開きによって開封されることを阻止している。さらに、本発明に係る外装は、包装の少なくとも１つの長さ面又は側面（ＳＦ）にミシン目（Ｐ）を有している。ミシン目は、一次容器（例えばチューブ）を取り出すために薬品外装に引っ張り力を加える場合の目標破断部位として用いられる。一次容器を、外装に加えられる引っ張り力によって取り出そうとする企ては、ミシン目の破れにつながり、ひいてはこのような取り出しの企てが行われたことの痕跡として現れる。このような痕跡の現れにより、薬剤師やエンドユーザーは、提供されるべき薬品がまだ正規に包装されているものであるのか否かを容易に確認することができる。もちろん必須ではないものの、のぞき窓の両方の側に適切なミシン目を設けることも可能である。
【００１５】
同様に、包装の複数の面にのぞき窓を設けることも可能である。形状安定性の理由から、一般的には２つより多いのぞき窓は設けられない。
【００１６】
必要に応じて添えられる、つまり同封される塗布具は、付属品スペース（追加スペース）内に収容されるようになっていてよい。付属品用若しくは塗布具用に追加的（付加的）に設けられる容積又は空間である付属品スペース（付属品室又は追加容積）のために、包装容器は、異なって大きな包装容器として形成される。この場合には、付属品、例えば塗布具が薬品外装の損傷なしには取り出されないようになっていることも重要である。このことは、１０ｃｍの長さを有する塗布具の場合には、長さ２．５ｃｍののぞき窓（ＳZK）によって確実に達成される。このような構成により、塗布具が包装内に同封されていて、かつ抜け落ち若しくは取り出されていないことを、視覚的に、つまり目視により確認することができる。一般的に付属品スペースののぞき窓（ＳZK）の高さ（包装の長手方向での寸法）は、同封される部材（例えば塗布具）の長さの２０〜６０％である。
【００１７】
本発明に係る包装は、有利には前述のように、薬品分野に用いられる。包装の使用は、一次包装の視覚若しくは目視による検査を所望するほかの分野、例えば食品分野でも考えられる。
【図面の簡単な説明】
【００１８】
【図１】薬品包装のための打ち抜きシート片の平面図（符号なし）である。
【図２】薬品包装のための打ち抜きシート片の平面図（符号付き）である。
【図３】付属品スペースを有する薬品包装のための打ち抜きシート片の平面図（符号なし）である。
【図４】付属品スペースを有する薬品包装のための打ち抜きシート片の平面図（符号付き）である。
【図５】付属品スペースを有するミシン目の破り開かれている状態の薬品包装を上方側から見て示す斜視図である。
【図６】付属品スペースを有するミシン目の破り開かれている状態の薬品包装を背面側から見て示す斜視図である。
【図７】付属品スペースを有するミシン目の破り開かれている状態の薬品包装を正面左側から見て示す斜視図である。
【図８】付属品スペースを有する未開封状態の薬品包装を正面側から見て示す斜視図である。
【図９】付属品スペースを有する未開封状態の薬品包装を背面側から見て示す斜視図である。
【図１０】付属品スペースを有する未開封状態の薬品包装を上側から見て示す斜視図である。
【図１１】付属品スペースを有する未開封状態の薬品包装を下側から見て示す斜視図である。
【図１２】付属品スペースを有する未開封状態の薬品包装を右側から見て示す斜視図である。
【図１３】付属品スペースを有する未開封状態の薬品包装を左側から見て示す斜視図である。
【図１４】未開封状態の薬品包装を正面側から見て示す斜視図である。
【図１５】未開封状態の薬品包装を背面側から見て示す斜視図である。
【図１６】未開封状態の薬品包装を右側から見て示す斜視図である。
【図１７】未開封状態の薬品包装を左側から見て示す斜視図である。
【図１８】未開封状態の薬品包装を下側から見て示す斜視図である。
【図１９】未開封状態の薬品包装を上側から見て示す斜視図である。
【図２０】図１に示す薬品包装を示す六面図であり、図２０（ａ）〜（ｆ）は、夫々、正面図、背面図、平面図、底面図、左側面図、及び右側面図である。
【図２１】図１に示す薬品包装の写真を示す図であり、図２１（ａ）〜（ｇ）は、夫々、正面左側からの斜視、正面視、背面視、平面視、底面視、左側面視、及び右側面視の写真の図である。
【図２２】図３に示す薬品包装を示す六面図であり、図２２（ａ）〜（ｆ）は、夫々、正面図、背面図、平面図、底面図、左側面図、及び右側面図である。
【図２３】図３に示す薬品包装の写真を示す図であり、図２３（ａ）〜（ｇ）は、夫々、正面左側からの斜視、正面視、背面視、平面視、底面視、左側面視、及び右側面視の写真の図である。
【発明を実施するための形態】
【００１９】
本発明に係る包装の製造は、カートン（厚紙又はボール紙）若しくはペーパー（洋紙又は板紙或いは合成紙）若しくは類似の材料（例えば複合材）から、当業者にとって技術的に知られている通常の方法で行われる。このために、適切な材料（例えばカートン原紙若しくは複合材）から各紙片又はシート片を打ち抜くことになる。打ち抜き形状は、例として図３及び図４に示してある。各紙片又はシート片（裁断片）は、通常の方法で機械により折られ、かつ耳部（継ぎしろ又は接合部）で永続的に結合され、例えば接着され又はラミネートされる。包装の背面（のぞき窓と相対する側の面）には、有利には１つの溝（Ｒ）が型押し加工されている。このような溝は、ミシン目に沿った開封の後のカートンの折り曲げを容易にするものである。これにより、前記溝はミシン目と相俟って安全マーク（未開封であることの証明）として機能するようになっており、それというのは、包装の端部をわずかに引っ張るだけでミシン目は開かれ、これに伴ってカートンが背面で溝に沿って折り曲げられるからである。必要に応じて本発明に係る包装は、さらにセロファンフォイル若しくは類似の透明なフォイル又は箔によって包まれていてよい。異なる実施の形態によれば、のぞき窓のみが透明なフォイルで覆われ、つまりのぞき窓に透明なフォイルが張られる。この場合に、フォイルは有利には包装の内側に装着される。
【００２０】
図１は、本発明に係る実施の形態における薬品包装（又は薬品外装）のための打ち抜きシート片を示している（符号なし）。
図２は、本発明に係る実施の形態における薬品包装のための打ち抜きシート片を示している（符号付き）。
図３は、付属品スペースを有する薬品包装又は薬品外装の本発明に係る特に有利な実施の形態における打ち抜きシート片を示している（符号なし）。
図４は、付属品スペースを有する薬品包装（又は薬品外装）の本発明に係る特に有利な実施の形態における打ち抜きシート片を示している（符号付き）。
図５〜図７は、本発明に係る特に有利な、付属品スペース（内容物：塗布具）を有するミシン目の破り開かれている状態の薬品包装（内容物：チューブ）を示す図である。
図８は、本発明に係る特に有利な、付属品スペース（内容物：塗布具）を有するミシン目の損傷していない状態、つまり未開封の状態の薬品包装（内容物：チューブ）を正面側から見て示す図である。
図９は、本発明に係る特に有利な、付属品スペース（内容物：塗布具）を有するミシン目の損傷していない状態の薬品包装（内容物：チューブ）を背面側から見て示す図である
図１０は、本発明に係る特に有利な、付属品スペース（内容物：塗布具）を有するミシン目の損傷していない状態の薬品包装（内容物：チューブ）を上側から見て示す図である。
図１１は、本発明に係る特に有利な、付属品スペース（内容物：塗布具）を有するミシン目の損傷していない状態の薬品包装（内容物：チューブ）を下側から見て示す図である。
図１２は、本発明に係る特に有利な、付属品スペース（内容物：塗布具）を有するミシン目の損傷していない状態の薬品包装（内容物：チューブ）を右側から見て示す図である。
図１３は、本発明に係る特に有利な、付属品スペース（内容物：塗布具）を有するミシン目の損傷していない状態の薬品包装（内容物：チューブ）を左側から見て示す図である。
図１４は、本発明に係る、ミシン目の損傷していない状態の薬品包装（内容物：チューブ）を正面側から見て示す図である。
図１５は、本発明に係る、ミシン目の損傷していない状態の薬品包装（内容物：チューブ）を背面側から見て示す図である。
図１６は、本発明に係る、ミシン目の損傷していない状態の薬品包装（内容物：チューブ）を右側から見て示す図である。
図１７は、本発明に係る、ミシン目の損傷していない状態の薬品包装（内容物：チューブ）を左側から見て示す図である。
図１８は、本発明に係る、ミシン目の損傷していない状態の薬品包装（内容物：チューブ）を下側から見て示す図である。
図１９は、本発明に係る、ミシン目の損傷していない未開封状態の薬品包装（内容物：チューブ）を上側から見て示す図である。
図２０は、図１に示す薬品包装を示す六面図である。
図２１は、図１に示す薬品包装の写真を示す図である。
図２２は、図３に示す薬品包装を示す六面図である。
図２３は、図３に示す薬品包装の写真を示す図である。
【符号の説明】
【００２１】
ｂ  本発明に係る包装の幅、  ｂZK  付属品スペースの幅、  ＥＬ  差し込み舌片、  ｈ  本発明に係る包装の高さ、  ｈｓ  のぞき窓の高さ、  ｌ  本発明に係る包装の長さ、  Ｐ  ミシン目、  Ｒ  溝、  ＲＦ  背面、  Ｓ  のぞき窓、  ＳＦ  側面、  Ｓｏ  のぞき窓の上側の支持ストリップ、  Ｓｕ  のぞき窓の下側の支持ストリップ、  ＳZK  付属品スペースののぞき窓、  ＺＫ  付属品スペース
【図１】
2011178464.tif 000003
【図２】
2011178464.tif 000004
【図３】
2011178464.tif 000005
【図４】
2011178464.tif 000006
【図２０】
2011178464.tif 000007
【図２２】
2011178464.tif 000008
【図５】
2011178464.tif 000009
【図６】
2011178464.tif 000010
【図７】
2011178464.tif 000011
【図８】
2011178464.tif 000012
【図９】
2011178464.tif 000013
【図１０】
2011178464.tif 000014
【図１１】
2011178464.tif 000015
【図１２】
2011178464.tif 000016
【図１３】
2011178464.tif 000017
【図１４】
2011178464.tif 000018
【図１５】
2011178464.tif 000019
【図１６】
2011178464.tif 000020
【図１７】
2011178464.tif 000021
【図１８】
2011178464.tif 000022
【図１９】
2011178464.tif 000023
【図２１】
2011178464.tif 000024
【図２３】
2011178464.tif 000025